(57)【要約】  【課題】水中内での生育部材の円滑な取り付け作業および取り外し作業の行える、優れた生育部材の取付構造を実現する。  【解決手段】藻類を生育するための生育部材を増殖礁に対して着脱可能に取り付けるための取付構造であって、前記増殖礁に設けたボルト１４と、握った状態で操作可能な操作部Ｙ２および前記ボルト１４に取り付けるためのナット部Ｙ３を有する止着具Ｘとを具備し、前記ボルト１４と前記ナット部Ｙ３とを螺合させた状態で前記操作部Ｙ２を操作することにより、前記生育部材を前記ボルト１４に着脱可能に固定するようにした。【選択図】図２
0003116075.tif 000002
【実用新案登録請求の範囲】
【請求項１】
藻類を生育するための生育部材を増殖礁に対して着脱可能に取り付けるための取付構造であって、
前記増殖礁に設けたボルトと、
握った状態で操作可能な操作部および前記ボルトに取り付けるためのナット部を有する止着具とを具備し、
前記ボルトと前記ナット部とを螺合させた状態で前記操作部を操作することにより、前記生育部材を前記ボルトに着脱可能に固定するようにしたことを特徴とする生育部材の取付構造。
【請求項２】
前記止着具が、取り付け状態で前記ボルトの露出部分を覆う位置に配される露出防止部を具備して成ることを特徴とする請求項１記載の生育部材の取付構造。
【請求項３】
前記生育部材が、厚み方向に貫通する貫通孔を具備し、
前記露出防止部が、前記貫通孔に挿通したボルトのうち、その貫通孔から突出したボルトの先端部の露出を防止するものであることを特徴とする請求項２記載の生育部材の取付構造。
【請求項４】
前記ボルトおよび前記止着具のうちいずれか一方が、ステンレス製のものであり、他方が非金属材料により形成したものであることを特徴とする請求項１乃至３いずれか記載の生育部材の取付構造。
【請求項５】
前記ボルトおよび前記止着具の両方が、非金属材料により形成したものであることを特徴とする請求項１乃至３いずれか記載の生育部材の取付構造。
【請求項６】
前記生育部材と止着具とが当接する部分をそれぞれ平坦面としていることを特徴とする請求項１乃至５いずれか記載の生育部材の取付構造。
【請求項７】
前記生育部材と前記止着具とを弾性体を介して取り付けていることを特徴とする請求項１乃至６いずれか記載の生育部材の取付構造。
【請求項８】
請求項１乃至７いずれか記載の生育部材の取付構造に用いられる止着具であって、
握った状態で操作可能な操作部と、操作部の操作によってボルトに螺着可能なナット部とを具備してなることを特徴とする止着具。
【請求項９】
取り付け状態で前記ボルトの先端部の露出を防止する露出防止部を具備して成ることを特徴とする請求項８記載の止着具。
【請求項１０】
非金属材料により形成して成ることを特徴とする請求項８または９記載の止着具。
【請求項１１】
藻類を生育するためのナット一体型生育部材を増殖礁に対して着脱可能に取り付けるための取付構造であって、
前記ナット一体型生育部材が、握った状態で操作可能な操作部および前記増殖礁に設けたボルトに取り付けるためのナット部を具備し、
前記ボルトと前記ナット部とを螺合させた状態で前記操作部を操作することにより、前記ナット一体型生育部材を前記ボルトに着脱可能に固定するようにしたことを特徴とするナット一体型生育部材の取付構造。
【請求項１２】
前記ナット一体型生育部材が、取り付け状態で前記ボルトの露出部分を覆う位置に配される露出防止部を具備して成ることを特徴とする請求項１１記載のナット一体型生育部材の取付構造。
【請求項１３】
前記ボルトおよび前記ナット一体型生育部材のうちいずれか一方が、ステンレス製のものであり、他方が非金属材料により形成したものであることを特徴とする請求項１１または１２記載のナット一体型生育部材の取付構造。
【請求項１４】
前記ボルトおよび前記ナット一体型生育部材の両方が、非金属材料により形成したものであることを特徴とする請求項１１または１２記載のナット一体型生育部材の取付構造。
【請求項１５】
請求項１１乃至１４いずれか記載のナット一体型生育部材の取付構造に用いられる生育部材であって、
表面の少なくとも一部に形成した藻類を生育するための生育部と、握った状態で操作可能な操作部と、操作部の操作によってボルトに螺着可能なナット部とを具備して成ることを特徴とするナット一体型生育部材。
【請求項１６】
取り付け状態で前記ボルトの先端部の露出を防止する露出防止部を具備して成ることを特徴とする請求項１５記載のナット一体型生育部材。
【請求項１７】
非金属材料により形成して成ることを特徴とする請求項１５または１６記載のナット一体型生育部材。
【請求項１８】
藻類を生育するための生育部材を配する場所が、藻類の生育に適する場所であるか否かを試験するためのものであって、
表面の少なくとも一部に形成した藻類を生育するための生育部と、握った状態で操作可能な操作部と、操作部の操作によってボルトに螺着可能なナット部とを具備して成るナット一体型生育部材と、
このナット一体型生育部材を複数取りつけるための複数本のボルトを有し且つ水中の岩等に固定可能な基体とを具備して成ることを特徴とする生育試験具。
【考案の詳細な説明】
【技術分野】
【０００１】
本考案は、藻類を生育するための生育部材を、アワビ、ウニ等の磯根資源の成育を行うための増殖礁に着脱可能に取り付けるための取付構造、及び、その生育部材の取り付けに用いる止着具、及び、藻類を生育するためのナット一体型生育部材を、増殖礁に着脱可能に取り付けるための取付構造、及び、そのナット一体型生育部材、及び、藻類を生育するための生育部材を配する場所が、藻類の生育に適する場所であるか否かを試験するための生育試験具に関するものである。
【背景技術】
【０００２】
従来から、水中に棲息する生物の成育に適した藻類を育成し藻場を造成するための生育部材を着脱可能に備えた増殖礁が知られている。具体的に、この種の増殖礁は、アンカー部材に突設した突起などを利用して、生育部材を着脱可能に保持するようにしてある（特許文献１参照）。
【特許文献１】特許第３１９３７０４号公報
【考案の開示】
【考案が解決しようとする課題】
【０００３】
しかしながら、従来の構成では、生育部材に藻類を生育させた際に、この生育部材を保持している突起にも藻類が生育することがあり、水中内での生育部材の円滑な取り付け作業および取り外し作業の妨げとなる場合がある。
【０００４】
本考案は、このような課題に着目してなされたものであって、主たる目的は、水中内での生育部材の円滑な取り付け作業および取り外し作業の行える、優れた生育部材の取付構造を実現することにある。
【課題を解決するための手段】
【０００５】
すなわち、本考案の生育部材の取付構造は、藻類を生育するための生育部材を増殖礁に対して着脱可能に取り付けるための取付構造であって、前記増殖礁に設けたボルトと、握った状態で操作可能な操作部および前記ボルトに取り付けるためのナット部を有する止着具とを具備し、前記ボルトと前記ナット部とを螺合させた状態で前記操作部を操作することにより、前記生育部材を前記ボルトに着脱可能に固定するようにしたことを特徴とする。
【０００６】
このようなものであれば、例えば、手袋をした状態であっても操作部を握って操作でき、また、操作部の表面に藻類が生育していても操作部の操作の問題と成ることは無い。また、ナット部には藻類が付着することが無いので、円滑に操作部を操作して止着具をボルトから取り外すことができ、また、再度の取り付けも容易に行うことができる。
【０００７】
すなわち、水中内での生育部材の円滑な取り付け作業および取り外し作業が行えるといった、優れた生育部材の取付構造を実現することができる。
【０００８】
なお、前記止着具が、取り付け状態で前記ボルトの露出部分を覆う位置に配される露出防止部を具備して成るのであれば、ボルトへの藻類の付着を好適に防止することができる。
【０００９】
本考案の生育部材の取付構造の望ましい態様としては、前記生育部材が、厚み方向に貫通する貫通孔を具備し、前記露出防止部が、前記貫通孔に挿通したボルトのうち、その貫通孔から突出したボルトの先端部の露出を防止するものが挙げられる。
【００１０】
海水による錆つきを効果的に防止するには、前記ボルトおよび前記止着具のうちいずれか一方が、ステンレス製のものであり、他方が非金属材料により形成したもの、あるいは、前記ボルトおよび前記止着具の両方が、非金属材料により形成したものであることが好ましい。
【００１１】
取付性を向上させるには、前記生育部材と止着具とが当接する部分をそれぞれ平坦面としていることが望ましい。
【００１２】
前記生育部材と前記止着具とを弾性体を介して取り付けているのであれば、効果的に不陸を吸収することができる。
【００１３】
上述した生育部材の取付構造に用いられる止着具の望ましい態様としては、この止着具が、握った状態で操作可能な操作部と、操作部の操作によってボルトに螺着可能なナット部とを具備してなるものが挙げられる。
【００１４】
当該止着具が、取り付け状態で前記ボルトの先端部の露出を防止する露出防止部を具備して成るのであれば、ボルトへの藻類の付着を好適に防止することができる。
【００１５】
海水による錆つきを効果的に防止するには、非金属材料により形成して成ることが望ましい。
【００１６】
藻類を生育するためのナット一体型生育部材を増殖礁に対して着脱可能に取り付けるための取付構造であって、前記ナット一体型生育部材が、握った状態で操作可能な操作部および前記増殖礁に設けたボルトに取り付けるためのナット部を具備し、前記ボルトと前記ナット部とを螺合させた状態で前記操作部を操作することにより、前記ナット一体型生育部材を前記ボルトに着脱可能に固定するようにしたことを特徴とするナット一体型生育部材の取付構造であれば、例えば、手袋をした状態であっても操作部を握って操作でき、また、操作部の表面に藻類が生育していても操作部の操作の問題と成ることは無い。また、ナット部には藻類が付着することが無いので、円滑に操作部を操作してナット一体型生育部材をボルトから取り外すことができ、また、再度の取り付けも容易に行うことができる。また、部材の削減にも資するので、コストダウンを図ることができる。
【００１７】
すなわち、水中内での生育部材の円滑な取り付け作業および取り外し作業が行え、且つコストダウンを図れるといった、優れたナット一体型生育部材の取付構造を実現することができる。
【００１８】
なお、前記ナット一体型生育部材が、取り付け状態で前記ボルトの露出部分を覆う位置に配される露出防止部を具備して成るのであれば、ボルトへの藻類の付着を好適に防止することができる。
【００１９】
海水による錆つきを効果的に防止するには、前記ボルトおよび前記ナット一体型生育部材のうちいずれか一方が、ステンレス製のものであり、他方が非金属材料により形成したものであること、あるいは、前記ボルトおよび前記ナット一体型生育部材の両方が、非金属材料により形成したものであることが好ましい。
【００２０】
上述したナット一体型生育部材の取付構造に用いられるナット一体型生育部材の望ましい態様としては、このナット一体型生育部材が、表面の少なくとも一部に形成した藻類を生育するための生育部と、握った状態で操作可能な操作部と、操作部の操作によってボルトに螺着可能なナット部とを具備して成るものが挙げられる。
【００２１】
当該ナット一体型生育部材が、取り付け状態で前記ボルトの先端部の露出を防止する露出防止部を具備して成るのであれば、ボルトへの藻類の付着を好適に防止することができる。
【００２２】
海水による錆つきを効果的に防止するには、非金属材料により形成して成ることが望ましい。
【００２３】
藻類を生育するための生育部材を配する場所が、藻類の生育に適する場所であるか否かを試験するためのものであって、表面の少なくとも一部に形成した藻類を生育するための生育部と、握った状態で操作可能な操作部と、操作部の操作によってボルトに螺着可能なナット部とを具備して成るナット一体型生育部材と、このナット一体型生育部材を複数取りつけるための複数本のボルトを有し且つ水中の岩等に固定可能な基体とを具備して成ることを特徴とする生育試験具であれば、例えば、異なる種類の藻類の種苗を植えたナット一体型生育部材を、ボルトに取りつけて海中に沈めておくだけで、その場所が、藻類の生育に適する場所であるか否かを一瞥して知ることができる。
【００２４】
すなわち、藻類の生育に適する場所であるか否かを簡単に知ることのできる優れた生育試験具を提供することができる。
【考案の効果】
【００２５】
以上説明したように、本考案の生育部材の取付構造によれば、例えば、手袋をした状態であっても操作部を握って操作でき、また、操作部の表面に藻類が生育していても操作部の操作の問題と成ることは無い。また、ナット部には藻類が付着することが無いので、円滑に操作部を操作して止着具をボルトから取り外すことができ、また、再度の取り付けも容易に行うことができる。
【００２６】
すなわち、水中内での生育部材の円滑な取り付け作業および取り外し作業が行えるといった、優れた生育部材の取付構造を実現することができる。
【考案を実施するための最良の形態】
【００２７】
以下、本考案の一実施形態を、図面を参照して説明する。
【００２８】
＜第１実施形態＞
本考案の第１実施形態に係る生育部材の取付構造を採用した増殖礁Ａは、海底に沈設して使用されるものであって、例えば、図１に示すように、アワビ、トコブシ、サザエ、ウニ等の磯根資源を稚体から成体まで成育・増殖させることを主目的とする磯根資源増殖ブロック１と、アラメ、クロメ、カジメ、ホンダワラ等の藻類を生育・増殖させて藻場を形成することを主目的とする藻類増殖部材２（本考案の「生育部材」に相当する。）と、藻類増殖部材２を磯根資源増殖ブロック１に着脱可能に取り付けるための止着具Ｘと、海底に接地されてこれら磯根資源増殖ブロック１及び藻類増殖部材２を支持するコンクリートベース３と、磯根資源増殖ブロック１とコンクリートベース３との間に配する中間取付部材４と、磯根資源増殖ブロック１及び藻類増殖部材２を覆うことで覆った内部空間に稚体の成育・増殖に適した磯根資源成育領域Ｐ１及び藻類の生育・増殖に適した藻類生育領域Ｐ２を形成する防護ネット装置５と、コンクリートベース３に設けた後述する貫通孔３１ｈに対して着脱可能な貫通孔用部材６とを具備して成る。以下、各部を具体的に説明する。
【００２９】
磯根資源増殖ブロック１は、図１、図２に示すように、平面視ほぼ正方形の平板の下に、下面を上面よりも小さいほぼ正方形状とした正四角錐台を一体に連続させた形状をなすコンクリート製ブロックからなる本体部１１を主体としている。そして、その上面に、藻類増殖部材２を取付可能に設定している。なお、当該上面に、さらに他の磯根資源増殖ブロック１を取り付けることもできる。また、この本体部１１の下端部には、コンクリートベース３のブロック取付部（図示せず）に挿入するアンカー筋１２を下方へ鉛直に突出させて埋設してある。すなわち、このアンカー筋１２がブロック取付部内のバネワッシャに引っ掛かる構成により、磯根資源増殖ブロック１が中間取付部材４を介してコンクリートベース３に固定されることとなる。さらに、本体部１１の上端部には、隣接する磯根資源増殖ブロック１に向けて突出する半球状の突起１３が形成してあり、この突起１３により隣接する本体部１１同士が直接衝突して欠けたり割れたりすることを防止している。なお、この突起１３は、ブロック取付部３４に軸着された磯根資源増殖ブロック１が水平方向へ回転することを抑制する機能と、隣接する磯根資源増殖ブロック１の位置決め機能をも有している。また、本体部１１の上面には、藻類増殖部材２を着脱可能に取り付けられるようにするために、複数（図示例では４本）のステンレス製のボルト１４を起立姿勢で埋設してある。
【００３０】
藻類増殖部材２は、図２に示す長方形型プレートと図示しない正方形型プレートの二種類のコンクリート板があり、いずれも中央部に形成した貫通孔２ａにボルト１４を挿通させた状態で止着具Ｘ及び薄肉略リング状を成すゴム製の弾性体（図示せず）を用いて磯根資源増殖ブロック１の上面に着脱可能に固定される。なお、貫通孔２ａの周縁部を、台座部Ｘ１の取り付け性（取り付けた時の座り等）を考慮して平坦面としている。また、本実施形態では、長方形型プレートのみを使用している。また、藻類増殖部材２の上面にはいずれも天然砕石の形状を転写した逆勾配を有する凹凸がコンクリート板の本体部と一体に形成されており、アラメ等の海藻Ｂ０が根で凹凸を抱え込んで活着しやすいように構成されている。特に長方形型プレートの藻類増殖部材２は、アラメ等の海藻Ｂ０の胞子又は遊走子を付着させた種糸を表面の凹凸に巻き付けた状態で海中に吊り下げて海藻Ｂ０を育成する垂下式中間育成システムに用いるのに適したものである。従って本実施形態の場合、垂下式中間育成システムによりこの藻類増殖部材２において、海藻Ｂ０が海底でウニ、巻貝、ウミウシ等の植食生物による食害被害に遭いにくくなる大きさ、すなわちフロロタンニン等の苦み成分を分泌できる大きさである目視により海藻Ｂ０が３〜１０ｃｍとなるまで生長させ、その後当該藻類増殖部材２を海中から引き上げて作業船上で磯根資源増殖ブロック１のボルト１４に取り付けることとしている。
【００３１】
止着具Ｘは、図３に示すように、略円板状の台座部Ｘ１と、この台座部Ｘ１の上面側に設けた操作部Ｘ２とを具備するものであって、本実施形態では、例えばＡＥＳ等の耐海水性を有する合成樹脂にて一体に形成している。
【００３２】
操作部Ｘ２は、台座部Ｘ１の略中央部から起立する略円柱状の起立部Ｘ２１（本考案の「露出防止部」に相当する）と、この起立部Ｘ２１を挟み込む位置に設けられ上方に向けて二股に分かれる一対の薄板状の鍔部Ｘ２２とを具備して成るものであって、操作部Ｘ２全体を把持して操作することもできるし、操作部Ｘ２の一部（例えば、一方の鍔部Ｘ２２）を把持して操作することもできる。
【００３３】
また、本実施形態では、台座部Ｘ１の裏面から起立部Ｘ２１の略中央高さ位置にかけてナット部Ｘ３を形成し、このナット部Ｘ３を利用してボルト１４に螺着可能にしている。
【００３４】
コンクリートベース３は、図１に示すように、海底において当該増殖礁Ａを安定設置するためのアンカー機能を有する部材であって、コンクリートにより一体形成されたベース本体３１及び三本の支持脚３２から構成されるものを基本構成としている。
【００３５】
中間取付部材４は、図１に示すように、平面視略矩形状を成す薄板状の基板部４１と、この基板部４１の上面に突設した４つの隙間調節用突起部４２とを具備し、これら各部をコンクリートにより一体に形成したものである。
【００３６】
防護ネット装置５は、図１に示すように、コンクリートベース３に立設した柱状部材５１と、これら柱状部材５１を利用して取り付けられる防護ネット５２と、この防護ネット５２を柱状部材５１に留める留め具５３とを具備して成るものである。なお、同図における防護ネット５２及び留め具５３は作図の都合上一部を省略して図示している。以下、各部をより具体的に説明する。
【００３７】
防護ネット５２は、可撓性を有する化繊製のものであって、図１に示すように、４つの柱状部材５１の上端部間を結んでなる面と略同じ大きさを有する上面網５２１と、隣接する柱状部材５１間にそれぞれ配される計４つの起立網５２２とを備えてなり、且つ、上面網５２１の各辺とこれら上面網５２１の各辺にそれぞれ隣接する起立網５２２の辺とを連続させた単一のものである。
【００３８】
そして、上面網５２１の網目寸法を、アイゴ、イスズミ、ブダイ等の藻食性魚類が通過できない程度の大きさに設定している。また、起立網５２２を、上下２段を成すように構成し、下段側の網目寸法を、稚体の通過を妨げ得るとともにヒトデ、タコ等の肉食性海中動物の侵入を防ぎ得る程度に設定する一方、上段側の網目寸法を、下段側の網目寸法よりも拡開させつつ藻食性魚類が通過できない程度の大きさに設定している。さらに、フジツボや貝等の付着物が防護ネット５２に付着することを防止するために防護ネット５２全体にシリコンを塗布している。
【００３９】
また、本実施形態では、留め具５３として、いわゆるインシュロックタイプの結束バンドを用いている。そして、この留め具５３は、カッターナイフや鋏等刃部を有する道具を用いて切断できるよう、一般的な合成樹脂製のものとしている。
【００４０】
貫通孔用部材６は、図１に示すように、剛性のある平面視略矩形状の枠体とこの枠体に周縁部を支持させた化繊製の網部とを備えるものである。そして、当該貫通孔用部材６の網目寸法を、稚体の通過を妨げ得る程度に設定している。また、本実施形態では、フジツボや貝等の付着物が貫通孔用部材６に付着することを防止するために貫通孔用部材６全体にシリコンを塗布している。
【００４１】
次に、海中において、藻類増殖部材２を磯根資源増殖ブロック１から取り外す方法及び取り付ける方法について説明する。
【００４２】
なお、防護ネット５２は、その一部又は全部が柱状部材５１から取り外されており、作業者が、藻類増殖部材２及び磯根資源増殖ブロック１に容易にアクセスできるものとして説明を進めることとする。
【００４３】
作業者が、素手または手袋をした手で止着具Ｘの操作部Ｘ２を握り、その止着具Ｘの外れる向きへ回すと、ボルト１４とナット部Ｘ３との螺着が解除され、ボルト１４から止着具Ｘを取り外すことができる。そして、藻類増殖部材２をボルト１４から引き上げれば、ボルト１４から藻類増殖部材２を簡単に取り外すことができる。
【００４４】
このようにして、止着具Ｘや藻類増殖部材２を取り外した後のボルト１４には、藻類が付着していないため、新たな止着具Ｘや藻類増殖部材２のボルト１４への取り付けを容易に行うことができる。
【００４５】
このように、本第１実施形態に係る生育部材の取付構造を採用した増殖礁Ａでは、例えば、手袋をした状態であっても操作部Ｘ２を握って操作でき、また、操作部Ｘ２の表面に藻類が生育していても操作部Ｘ２の操作の問題と成ることは無い。また、ナット部Ｘ３には藻類が付着することが無いので、円滑に操作部Ｘ２を操作して止着具Ｘをボルト１４から取り外すことができ、また、再度の取り付けも容易に行うことができる。
【００４６】
すなわち、水中内での藻類増殖部材２の円滑な取り付け作業および取り外し作業が行えるといった、優れた生育部材の取付構造を実現することができる。
【００４７】
なお、前記止着具Ｘが、取り付け状態で前記ボルト１４の露出部分を覆う位置に配される露出防止部として機能する起立部Ｘ２１を具備して成るので、ボルト１４への藻類の付着を好適に防止することができる。
【００４８】
また、ボルト１４を、ステンレス製のものとし、止着具Ｘを、非金属材料である耐海水性を有する合成樹脂により形成しているため、海水による錆つきを非常に効果的に防止することができる。
【００４９】
また、藻類増殖部材２と止着具Ｘとが当接する部分をそれぞれ平坦面としているため、取付性を向上させることができる。
【００５０】
また、藻類増殖部材２と前記止着具Ｘとを弾性体を介して取り付けるようにしているため、効果的に不陸を吸収することができる。
【００５１】
なお、ボルト１４および止着具Ｘの両方を、非金属材料により形成することを妨げない。
【００５２】
＜第２実施形態＞
第２実施形態において、第１実施形態と同一の名称及び同一の符号が振られているものは、第１実施形態のものと同様の構成を有し且つ同様の作用効果を奏するものとして説明を省略又は簡略し、第１実施形態との相違点を中心に説明する。
【００５３】
本考案の第２実施形態に係るナット一体型生育部材の取付構造を採用した増殖礁Ａは、第１実施形態と同様、海底に沈設して使用されるものであって、例えば、アワビ、トコブシ、サザエ、ウニ等の磯根資源を稚体から成体まで成育・増殖させることを主目的とする磯根資源増殖ブロック１と、アラメ、クロメ、カジメ、ホンダワラ等の藻類を生育・増殖させて藻場を形成することを主目的とする図４に示すナット一体型藻類増殖部材Ｙ（本考案の「ナット一体型生育部材」に相当する。）と、海底に接地されてこれら磯根資源増殖ブロック１及びナット一体型藻類増殖部材Ｙを支持するコンクリートベース３と、磯根資源増殖ブロック１とコンクリートベース３との間に配する中間取付部材４と、磯根資源増殖ブロック１及びナット一体型藻類増殖部材Ｙを覆うことで覆った内部空間に稚体の成育・増殖に適した磯根資源成育領域Ｐ１及び藻類の生育・増殖に適した藻類生育領域Ｐ２を形成する防護ネット装置５と、コンクリートベース３に設けた後述する貫通孔３１ｈに対して着脱可能な貫通孔用部材６とを具備して成る。以下、各部を具体的に説明する。
【００５４】
ナット一体型藻類増殖部材Ｙは、図４に示すように、略円板状の台座部Ｙ１と、この台座部Ｙ１の上面側に設けた操作部Ｙ２とを具備するものであって、本実施形態では、例えばＡＥＳ等の耐海水性を有する合成樹脂にて一体に形成しているとともに、各部の表面全体を、藻類を生育するための生育部Ｙａとして設定している。
【００５５】
操作部Ｙ２は、台座部Ｙ１の略中央部から起立する略円柱状の起立部Ｙ２１（本考案の「露出防止部」に相当する）と、この起立部Ｙ２１を挟み込む位置に設けられ上方に向けて二股に分かれる一対の薄板状の鍔部Ｙ２２とを具備して成るものであって、操作部Ｙ２全体を把持して操作することもできるし、操作部Ｙ２の一部（例えば、一方の鍔部Ｙ２２）を把持して操作することもできる。また、本実施形態では、台座部Ｙ１の裏面から起立部Ｙ２１の略中央高さ位置にかけてナット部Ｙ３を形成し、このナット部Ｙ３を利用してボルト１４に螺着可能にしている。
【００５６】
次に、海中において、ナット一体型藻類増殖部材Ｙを磯根資源増殖ブロック１から取り外す方法及び取り付ける方法について説明する。
【００５７】
なお、防護ネット５２は、その一部又は全部が柱状部材５１から取り外されており、作業者が、ナット一体型藻類増殖部材Ｙ及び磯根資源増殖ブロック１に容易にアクセスできるものとして説明を進めることとする。
【００５８】
作業者が、素手または手袋をした手でナット一体型藻類増殖部材Ｙの操作部Ｙ２を握り、そのナット一体型藻類増殖部材Ｙの外れる向きへ回すと、ボルト１４とナット部Ｙ３との螺着が解除され、ボルト１４からナット一体型藻類増殖部材Ｙを取り外すことができる。
【００５９】
このようにして、ナット一体型藻類増殖部材Ｙを取り外した後のボルト１４には、藻類が付着していないため、新たなナットナット一体型藻類増殖部材Ｙのボルト１４への取り付けを容易に行うことができる。
【００６０】
このように、本第２実施形態に係るナット一体型生育部材の取付構造を採用した増殖礁Ａでは、例えば、手袋をした状態であってもナット一体型藻類増殖部材Ｙの操作部Ｙ２を握って操作できる、また、操作部Ｙ２の表面に藻類が生育して大きく成長していても操作部Ｙ２の操作の問題と成ることは無い。また、ナット部Ｙ３には藻類が付着することが無いので、円滑に操作部Ｙ２を操作してナット一体型藻類増殖部材Ｙをボルト１４から取り外すことができ、また、再度の取り付けも容易に行うことができる。
【００６１】
すなわち、水中内でのナット一体型藻類増殖部材Ｙの円滑な取り付け作業および取り外し作業が行えるといった、優れたナット一体型生育部材の取付構造を実現することができる。
【００６２】
なお、ナット一体型藻類増殖部材Ｙが、取り付け状態で前記ボルト１４の露出部分を覆う位置に配される露出防止部として機能する起立部Ｙ２１を具備して成るので、ボルト１４への藻類の付着を好適に防止することができる。
【００６３】
ボルト１４をステンレス製のものとし、ナット一体型藻類増殖部材Ｙを非金属材料である耐海水性を有する合成樹脂により形成しているため、海水による錆つきを非常に効果的に防止することができる。
【００６４】
なお、ボルト１４およびナット一体型藻類増殖部材Ｙの両方を、非金属材料により形成することを妨げない。
【００６５】
また、ナット一体型藻類増殖部材Ｙの形状は、本実施形態のものに限られるものではなく、藻類の着床をより促すことを目的とし、例えば、図５、図６に示すように、台座部Ｙ１の表面側に複数の凹部を形成してもよい。
【００６６】
また、図７に示すように、台座部Ｙ１´の周縁部をローレット加工してこれを操作部Ｙ２´とするようにしてもよい。
【００６７】
＜第３実施形態＞
第３実施形態において、第１実施形態又は第２実施形態と同一の名称及び同一の符号が振られているものは、第１実施形態又は第２実施形態のものと同様の構成を有し且つ同様の作用効果を奏するものとして説明を省略又は簡略し、第１実施形態又は第２実施形態との相違点を中心に説明する。
【００６８】
本考案の第３実施形態に係る生育試験具Ｚは、藻類を生育するための藻類増殖部材２を配する場所が、藻類の生育に適する場所であるか否かを試験するためのものであって、図８に示すように、ナット一体型藻類増殖部材Ｙと、このナット一体型藻類増殖部材Ｙを着脱可能に取りつけるための３本のステンレス製のボルト１４を有し且つ水中の岩等に固定可能な基体Ｋとを具備して成る。
【００６９】
基体Ｋは、平面視略矩形状を成す薄板状の基板部Ｋ１１と、この基板部Ｋ１１の表面に略等間隔で立設した３本のボルト１４とを備えてなるものであって、各部をステンレス製としている。
【００７０】
次に、この生育試験具Ｚの使用方法について説明をする。
【００７１】
まず、図示しない海底の岩に、ボンドを用いて基板部Ｋ１１を固定する。そして、３本のボルト１４にナット一体型藻類増殖部材Ｙを取り付ける。このとき、３本のナット一体型藻類増殖部材Ｙの生育部Ｙａには、例えば、アラメ、ヤツマタモク、アカモクといった、それぞれ別の藻類の種苗を植えておく。一定期間経ってば、各藻類の種苗の生育状態の差異を知ることができるうえ、第２実施形態と同様にして、ナット一体型藻類増殖部材Ｙを、基板部Ｋ１１から取り外して、他の種類の種苗を植えたナット一体型藻類増殖部材Ｙを新たに取り付けることができる。
【００７２】
このように、本第３実施形態に係る生育試験具Ｚは、異なる種類の藻類の種苗を植えたナット一体型藻類増殖部材Ｙを、ボルト１４に取りつけて海中に沈めておくだけで、その場所が、藻類の生育に適する場所であるか否かを一瞥して知ることができる。
【００７３】
すなわち、藻類の生育に適する場所であるか否かを簡単に知ることのできる優れた生育試験具Ｚを提供することができる。
【００７４】
なお、生育試験具Ｚの構成は、本実施形態のものに限られるものではなく、例えば、ナット一体型藻類増殖部材Ｙの本数は複数であればよい。
【００７５】
また、３本のナット一体型藻類増殖部材Ｙを一列に並べているが、並べ方は適宜変更可能である。
【００７６】
また、海底の岩に基板部Ｋ１１を固定しているが、固定先は任意で良い。
【００７７】
なお、本考案は上記したこれらの実施形態に限られるものではない。
【００７８】
例えば、本考案に係る生育部材の取付構造を採用する増殖礁は、上述した増殖礁に限られず、例えば、すべて同じ網目寸法で形成した防護ネットを備える増殖礁にも用いることができる。
【００７９】
止着具やナット一体型藻類増殖部材の形状も上述したものに限られない。
【００８０】
その他、各部の具体的構成についても上記実施形態に限られるものではなく、本考案の趣旨を逸脱しない範囲で種々変形が可能である。
【図面の簡単な説明】
【００８１】
【図１】本考案の一実施形態に係る増殖礁を示す斜視図。
【図２】同実施形態における止着具及び藻類増殖部材等の取付関係を示す斜視図。
【図３】同実施形態における止着具を示す図。
【図４】本考案の一実施形態に係るナット一体型藻類増殖部材を示す図。
【図５】本考案の他の実施形態に係るナット一体型藻類増殖部材を示す斜視図。
【図６】同ナット一体型藻類増殖部材の平面図及び断面図。
【図７】本考案の他の実施形態に係るナット一体型藻類増殖部材を示す図。
【図８】本考案の一実施形態に係る生育試験具を示す斜視図。
【符号の説明】
【００８２】
Ａ・・・・・増殖礁
Ｂ０・・・・藻類
２・・・・・藻類増殖部材（生育部材）
１４・・・・ボルト
２ａ・・・・貫通孔
Ｋ・・・・・基体
Ｘ・・・・・止着具
Ｘ２・・・・操作部
Ｘ２１・・・露出防止部（起立部）
Ｘ３・・・・ナット部
Ｙ・・・・・ナット一体型生育部材（ナット一体型藻類増殖部材）
Ｙ２・・・・操作部
Ｙ２１・・・露出防止部（起立部）
Ｙ３・・・・ナット部
Ｙａ・・・・生育部
Ｚ・・・・・生育試験具
【図１】
0003116075.tif 000003
【図２】
0003116075.tif 000004
【図３】
0003116075.tif 000005
【図４】
0003116075.tif 000006
【図５】
0003116075.tif 000007
【図６】
0003116075.tif 000008
【図７】
0003116075.tif 000009
【図８】
0003116075.tif 000010